(57)【要約】【課題】他の部材に安定して接着固定することができるレンズ鏡筒を提供する。【解決手段】少なくとも大径のレンズ１と小径のレンズ２とを保持するレンズ鏡筒７において、前記大径のレンズ１を保持する大径の筒部３、前記小径のレンズ２を保持する小径の筒部６、及び、大径の筒部３と小径の筒部６とを連結する連結部５を有していると共に、前記大径の筒部３から前記小径の筒部６に向けて延伸された、前記大径の筒部３と同じ外径とされた、スカート部４を有しているものとする。【選択図】図１
2007212650.tif 000002
【特許請求の範囲】
【請求項１】
少なくとも大径のレンズと小径のレンズとを保持するレンズ鏡筒であって、
前記大径のレンズを保持する大径の筒部、前記小径のレンズを保持する小径の筒部、及び、大径の筒部と小径の筒部とを連結する連結部、を有していると共に、
前記大径の筒部から前記小径の筒部に向けて延伸された、前記大径の筒部と同じ外径とされた、スカート部を有している
ことを特徴とするレンズ鏡筒。
【請求項２】
前記大径の筒部が、前記小径の筒部よりも短くされていることを特徴とする請求項１に記載のレンズ鏡筒。
【請求項３】
前記レンズ鏡筒が、合成樹脂で構成されていることを特徴とする請求項１又は２に記載のレンズ鏡筒。
【請求項４】
請求項１〜３のいずれか１項に記載されたレンズ鏡筒における大径の筒部に大径のレンズが保持され、そして、該レンズ鏡筒における小径の筒部に小径のレンズが保持されていることを特徴とするレンズブロック。
【請求項５】
請求項４に記載のレンズブロックを有することを特徴とするレンズユニット。
【請求項６】
レンズ鏡筒を直接又は間接的に保持するベース部材と、該レンズ鏡筒におけるスカート部の外周に塗布された第１の接着剤と、を有していることを特徴とする請求項５に記載のレンズユニット。
【請求項７】
前記スカート部が、前記ベース部材に直接に接着されていることを特徴とする請求項６に記載のレンズユニット。
【請求項８】
前記第１の接着剤を介して前記スカート部に接着される中間保持部材と、該中間保持部材と前記ベース部材の間に塗布される第２の接着剤と、を有していることを特徴とする請求項６に記載のレンズユニット。
【請求項９】
請求項５〜８のいずれか１項に記載されたレンズユニットと、該レンズユニットにおけるレンズを通過した光線を受けて光変換する光変換部材と、を有していることを特徴とする画像読み取りユニット。
【請求項１０】
請求項９に記載の画像読み取りユニットを有していることを特徴とする画像形成装置。
【発明の詳細な説明】
【技術分野】
【０００１】
本発明は、複写機、イメージスキャナ、ファクシミリ等において用いられるレンズ鏡筒、そのレンズ鏡筒を有するレンズブロック、そのレンズブロックを有するレンズユニット、そのレンズユニットを有する画像読み取りユニット、及び、その画像読み取りユニットを有する画像形成装置に関する。
【背景技術】
【０００２】
従来、外径の異なる複数枚のレンズを外径の異なる筒部にそれぞれ収容したレンズ鏡筒（特許文献１，２を参照。）が提案されている。そして、このような外径の異なる複数枚のレンズを外径の異なる筒部にそれぞれ収容したレンズ鏡筒においては、大径のレンズを収容した大径の筒部の方が重量が大きくなるので、レンズ鏡筒は、大径のレンズを収容した大径の筒部の表面部分を接着面として他の部材に接着固定されることとなる。
【特許文献１】特許第３４４２５０７号公報
【特許文献２】特許第３４２２７１０号公報
【発明の開示】
【発明が解決しようとする課題】
【０００３】
しかしながら、従来のレンズ鏡筒においては、レンズ鏡筒が、大径のレンズを収容した大径の筒部の表面部分を接着面として他の部材に接着固定されるだけでは、大径の筒部と小径の筒部との間に段差が形成されていたり、また、大径の筒部と小径の筒部とが離れて配置されていたりする場合には、大径の筒部の接着面と、レンズ鏡筒の重心に対応する大径の筒部の接着面の延長された部分と、の間にずれが生じることがあるので、レンズ鏡筒を他の部材に安定して接着固定できなくなるという問題があった。
【０００４】
本発明は、かかる問題を解決することを目的としている。
【０００５】
即ち、本発明は、他の部材に安定して接着固定することができるレンズ鏡筒、そのレンズ鏡筒を有するレンズユニット、そのレンズユニットを有する画像読み取りユニット、及び、その画像読み取りユニットを有する画像形成装置を提供することを目的としている。
【課題を解決するための手段】
【０００６】
請求項１に記載された発明は、上記目的を達成するために、少なくとも大径のレンズと小径のレンズとを保持するレンズ鏡筒であって、
前記大径のレンズを保持する大径の筒部、前記小径のレンズを保持する小径の筒部、及び、大径の筒部と小径の筒部とを連結する連結部、を有していると共に、
前記大径の筒部から前記小径の筒部に向けて延伸された、前記大径の筒部と同じ外径とされた、スカート部を有している
ことを特徴とするレンズ鏡筒である。
【０００７】
請求項２に記載された発明は、請求項１に記載された発明において、前記大径の筒部が、前記小径の筒部よりも短くされていることを特徴とするものである。
【０００８】
請求項３に記載された発明は、請求項１又は２に記載された発明において、前記レンズ鏡筒が、合成樹脂で構成されていることを特徴とするものである。
【０００９】
請求項４に記載された発明は、請求項１〜３のいずれか１項に記載されたレンズ鏡筒における大径の筒部に大径のレンズが保持され、そして、該レンズ鏡筒における小径の筒部に小径のレンズが保持されていることを特徴とするレンズブロックである。
【００１０】
請求項５に記載された発明は、請求項４に記載のレンズブロックを有することを特徴とするレンズユニットである。
【００１１】
請求項６に記載された発明は、請求項５に記載された発明において、レンズ鏡筒を直接又は間接的に保持するベース部材と、該レンズ鏡筒におけるスカート部の外周に塗布された第１の接着剤と、を有していることを特徴とするものである。
【００１２】
請求項７に記載された発明は、請求項６に記載された発明において、前記スカート部が、前記ベース部材に直接に接着されていることを特徴とするものである。
【００１３】
請求項８に記載された発明は、請求項５に記載された発明において、前記第１の接着剤を介して前記スカート部に接着される中間保持部材と、該中間保持部材と前記ベース部材の間に塗布される第２の接着剤と、を有していることを特徴とするものである。
【００１４】
請求項９に記載された発明は、請求項５〜８いずれか１項に記載されたレンズユニットと、該レンズユニットにおけるレンズを通過した光線を受けて光変換する光変換部材と、を有していることを特徴とする画像読み取りユニットである。
【００１５】
請求項１０に記載された発明は、請求項９に記載の画像読み取りユニットを有していることを特徴とする画像形成装置である。
【発明の効果】
【００１６】
請求項１に記載された発明によれば、少なくとも大径のレンズと小径のレンズとを保持するレンズ鏡筒であって、前記大径のレンズを保持する大径の筒部、前記小径のレンズを保持する小径の筒部、及び、大径の筒部と小径の筒部とを連結する連結部、を有していると共に、前記大径の筒部から前記小径の筒部に向けて延伸された、前記大径の筒部と同じ外径とされた、スカート部を有しているので、大径の筒部以外のレンズ鏡筒の重心に対応するスカート部の表面を他の部材に接着剤で接着固定される接着面とすることができ、そのために、他の部材に安定して接着固定することができるレンズ鏡筒を提供することができる。そして、請求項１に記載された発明によれば、前記接着面をスカート部の表面又は該スカート部から大径の筒部の表面にまたがって幅広くとることができるので、さらに、他の部材に安定して接着固定することができるレンズ鏡筒を提供することができる。
【００１７】
請求項２に記載された発明によれば、前記大径の筒部が前記小径の筒部よりも短くされていても、レンズ鏡筒を他の部材に安定して接着固定することができる。
【００１８】
請求項３に記載された発明によれば、前記レンズ鏡筒が合成樹脂で構成されているので、該レンズ鏡筒の成形性を向上させることができると共に、該レンズ鏡筒の軽量化をはかることができる。
【００１９】
請求項４に記載された発明によれば、請求項１〜３のいずれか１項に記載されたレンズ鏡筒における大径の筒部に大径のレンズが保持され、そして、該レンズ鏡筒における小径の筒部に小径のレンズが保持されているので、他の部材に安定して接着固定されるレンズブロックを提供することができる。
【００２０】
請求項５に記載された発明によれば、請求項４に記載のレンズブロックを有しているので、他の部材に安定して接着固定されるレンズユニットを提供することができる。
【００２１】
請求項６に記載された発明によれば、レンズ鏡筒を直接又は間接的に保持するベース部材と、該レンズ鏡筒におけるスカート部の外周に塗布された第１の接着剤と、を有しているので、レンズ鏡筒を直接又は間接的に保持するベース部材に安定して接着固定することができるレンズユニットを提供することができる。
【００２２】
請求項７に記載された発明によれば、前記スカート部が、前記ベース部材に直接に接着されているので、ベース部材に安定して接着固定することができるレンズユニットを提供することができる。
【００２３】
請求項８に記載された発明によれば、前記第１の接着剤を介して前記スカート部に接着される中間保持部材と、該中間保持部材と前記ベース部材の間に塗布される第２の接着剤と、を有しているので、レンズ鏡筒を、中間保持部材を介して、ベース部材に安定して接着固定することができるレンズユニットを提供することができる。
【００２４】
請求項９に記載された発明によれば、請求項５〜８のいずれか１項に記載されたレンズユニットと、該レンズユニットにおけるレンズを通過した光線を受けて光変換する光変換部材と、を有しているので、耐久性の向上した画像読み取りユニットを提供することができる。
【００２５】
請求項１０に記載された発明によれば、請求項９に記載の画像読み取りユニットを有しているので、耐久性の向上した画像形成装置を提供することができる。
【発明を実施するための最良の形態】
【００２６】
以下、本発明の実施の形態を図面を参照して説明する。
【００２７】
図１は、本発明の一実施の形態を示すレンズ鏡筒の断面図である。図２は、本発明の一実施の形態を示すレンズユニットを示すレンズ鏡筒の斜視図である。図３は、図２におけるＡ−Ａ線の拡大断面図である。図４は、本発明の一実施の形態を示す画像読み取りユニットの斜視図である。図５は、本発明の一実施の形態を示す画像形成装置の説明図である。
【００２８】
図１において、７は、レンズ鏡筒である。レンズ鏡筒７は、少なくとも大径のレンズ１と小径のレンズ２とを保持している。そして、前記レンズ鏡筒７は、前記大径のレンズ１を保持する大径の筒部３、前記小径のレンズ２を保持する小径の筒部６、及び、大径の筒部３と小径の筒部６とを連結する連結部５を有していると共に、前記大径の筒部３から前記小径の筒部６に向けて延伸された、前記大径の筒部３と同じ外径とされた、スカート部４を有している。前記連結部５は、本実施の形態（図１）においては、傾斜壁で構成されているが、本発明の目的に反しないかぎり、大径の筒部３と小径の筒部６とを連結する垂直壁、円弧壁、楕円弧壁、波形壁等の壁構造であればいかなる壁構造をもとることができる。また、前記連結部５は、大径の筒部３と小径の筒部６とを連結する金具等の連結部材であってもかまわない。
【００２９】
このように、前記レンズ鏡筒７が、前記大径のレンズ１を保持する大径の筒部３、前記小径のレンズ２を保持する小径の筒部６、及び、大径の筒部３と小径の筒部６とを連結する連結部５を有していると共に、前記大径の筒部３から前記小径の筒部６に向けて延伸された、前記大径の筒部３と同じ外径とされた、スカート部４を有していると、前記レンズ鏡筒７の重心Ｐに対応するスカート部４の表面を他の部材（図２における１１を参照。）に接着剤（図２における１２を参照。）で接着固定される接着面とすることができ、そのために、他の部材に安定して接着剤で接着固定することができるレンズ鏡筒７を提供することができる。そして、本発明によれば、前記接着面をスカート部４の表面又は該スカート部４から大径の筒部３の表面にまたがって幅広くとることができるので、さらに、他の部材に安定して接着剤で接着固定することができるレンズ鏡筒７を提供することができる。
【００３０】
本実施の形態（図１）に示されるレンズ鏡筒７では、スカート部４の肉厚を均一化するために、該スカート部４と連結部５及び小径の筒部６とによって囲まれる部分は、空洞化されている。このように、スカート部４の肉厚が均一化されていると、スカート部４の形状が精度よく安定化されるが、該スカート部４と連結部５及び小径の筒部６とによって囲まれる部分が樹脂で満たされたものであっても、スカート部４の機能としては問題になることはない。
【００３１】
本発明においては、前記大径の筒部３は、前記小径の筒部６よりも短くされている。このように、前記大径の筒部３が前記小径の筒部６よりも短くされていても、スカート部４を有しているので、レンズ鏡筒７を他の部材に安定して接着固定することができる。請求項４に記載のレンズブロックを有しているので、他の部材に安定して接着固定されるレンズユニットを提供することができる。
【００３２】
本発明においては、前記レンズ鏡筒７は、好ましくは、合成樹脂で構成されている。このように、前記レンズ鏡筒７が合成樹脂で構成されていると、該レンズ鏡筒７の成形性を向上させることができると共に、該レンズ鏡筒７の軽量化をはかることができる。このような合成樹脂は、好ましくは、ガラス入りのポリカーボナート（ＰＣ−ＧＦ３０、帝人化成社製）である。
【００３３】
図１において、１０は、レンズブロック１０である。レンズブロック１０では、請求項１〜３のいずれか１項に記載されたレンズ鏡筒７における大径の筒部３に大径のレンズ１が保持され、そして、該レンズ鏡筒７における小径の筒部６に小径のレンズ２が保持されている。このように、請求項１〜３のいずれか１項に記載されたレンズ鏡筒７における大径の筒部３に大径のレンズ１が保持され、そして、該レンズ鏡筒７における小径の筒部６に小径のレンズ２が保持されていると、他の部材に安定して接着固定されるレンズブロックを提供することができる。
【００３４】
図２，３に示されているように、本発明のレンズユニット２０は、請求項４に記載のレンズブロックを有している。このように、請求項４に記載のレンズブロックを有していると、他の部材に安定して接着固定されるレンズユニットを提供することができる。また、本発明のレンズユニット２０は、好ましくは、レンズ鏡筒７を直接又は間接的に保持するベース部材１４と、該レンズ鏡筒７におけるスカート部４の外周に塗布された第１の接着剤１２と、を有している。このように、レンズ鏡筒７を直接又は間接的に保持するベース部材１４と、該レンズ鏡筒７におけるスカート部４の外周に塗布された第１の接着剤１２と、を有していると、レンズ鏡筒７を直接又は間接的に保持するベース部材１４に安定して接着固定することができるレンズユニット２０を提供することができる。
【００３５】
前記スカート部４は、前記ベース部材１４に直接に接着されている。このように、前記ベース部材１４に直接に接着されていると、ベース部材１４に安定して接着固定することができるレンズユニット２０を提供することができる。
【００３６】
本発明のレンズユニット２０は、前記第１の接着剤１２を介して前記スカート部４に接着される中間保持部材１１と、該中間保持部材１１と前記ベース部材１４の間に塗布される第２の接着剤１３と、を有している。このように、前記第１の接着剤１２を介して前記スカート部４に接着される中間保持部材１１と、該中間保持部材１１と前記ベース部材１４の間に塗布される第２の接着剤１３と、を有していると、レンズ鏡筒７を、中間保持部材１１を介して、ベース部材１４に安定して接着固定することができるレンズユニット２０を提供することができる。
【００３７】
図４に示されているように、本発明の画像読み取りユニット３０は、請求項４又は５に記載されたレンズユニット２０、２０と、該レンズユニット２０，２０におけるレンズを通過した光線を受けて光変換する光変換部材２４と、を有している。レンズユニット２０、２０は、それらの円筒部に保持されたレンズの光軸Ｏが一直線になるように配置されて結合レンズ系２１を構成している。イメージセンサ２５は、光変換部材２４を備えている。図４において、１１，１１は、ベース部材１４の平板部２２とレンズ鏡筒７，７の外周に接着剤で接着固定される中間保持部材である。このように、請求項４又は５に記載されたレンズユニット２０、２０と、該レンズユニット２０，２０におけるレンズを通過した光線を受けて光変換する光変換部材２４と、を有していると、耐久性の向上した画像読み取りユニット３０を提供することができる。
【００３８】
図５に示されているように、画像形成装置３１は、装置本体３２と、自動原稿送り装置３３と、画像読み取りユニット３０と、給紙ユニット３５と、書込ユニット３６とを備えている。
【００３９】
装置本体３２は、例えば、箱状に形成され、フロア上などに設置される。装置本体３２は、画像読み取りユニット３０と、給紙ユニット３５と、書込ユニット３６と、を収容している。
【００４０】
自動原稿送り装置３３は、装置本体３２の上部に取り付けられている。自動原稿送り装置３３は、原稿載置板３７と、ベルト送り装置３８とを備えている。原稿載置板３７は、平板状に形成され、装置本体３２の上部に取り付けられていると共に、表面上に複数枚の原稿３９が載置される。ベルト送り装置３８は、原稿載置板３７上の原稿３９を一枚ずつ後述するコンタクトガラス４０上に送り出すと共に、レンズユニット２０により反射像が読み取られた原稿３９をコンタクトガラス４０上から装置本体３２外に排出する。
【００４１】
画像読み取りユニット３０は、装置本体３２の上部でかつ前述した自動原稿送り装置３３の下方に設けられ、原稿３９を載置するコンタクトガラス４０と光学走査系４１とを備えている。コンタクトガラス４０は、両表面が水平方向と平行な状態で、装置本体３２の上面に取り付けられている。光学走査系４１は、露光ランプ４２、第１ミラー４３、第２ミラー４４、第３ミラー４５及びレンズユニット（図４における２０を参照。）などを備え、原稿３９に光を照射して、該原稿３９からの反射像を光変換部材（図４における２４を参照。）で光電変換する。
【００４２】
露光ランプ４２は、コンタクトガラス４０上の原稿３９に光を照射する。第１ミラー４３、第２ミラー４４及び第３ミラー４５は、原稿３９からの反射像をレンズユニット３０に導く。露光ランプ４２および第１ミラー４３は、図示しない第１キャリッジ上に固定され、第２ミラー４４および第３ミラー４５は、図示しない第２キャリッジ上に固定されている。原稿３９を読み取る際には、光路長が変化しないように第１キャリッジと第２キャリッジとは２対１の相対速度で機械的に移動される。この光学走査系４１の前述した第１キャリッジと第２キャリッジとは、図示しないスキャナ駆動モータによって移動される。
【００４３】
レンズユニット２０は、結像レンズ系２１と、イメージセンサ２５などを備えている。レンズユニット２０は、前述した原稿３９の反射像をイメージセンサ２５によって読み取り（光電変換させ）、光信号から電気信号に変換して処理する。変換された電気信号は、図示しない画像処理部に向かって出力する。結像レンズ系２１およびイメージセンサ２５を図５において左右方向（水平方向）に移動させると画像倍率を変化させることができる。すなわち、指定された倍率に対応して結像レンズ系２１およびイメージセンサ２５の図５における左右方向の位置が設定される。
【００４４】
給紙ユニット３５は、装置本体３２の下部に設けられた複数の転写紙収容部４９と、転写紙送り出しユニット５０と、を備えている。転写紙収容部４９は、複数の転写紙５１を収容する。転写紙送り出しユニット５０は、転写紙収容部４９内の転写紙５１を、後述するレジストローラ５５間に送り出す。給紙ユニット５は、転写紙収容部４９内の転写紙５１を一枚ずつレジストローラ５５間即ち書込ユニット３６に向けて送り出す。
【００４５】
書込ユニット３６は、レーザ出力ユニット５２と、結像レンズ５３と、ミラー５４と、レジストローラ５５と、感光体ドラム５６と、現像装置５７と、転写部材５８と、定着装置５９とを備えている。
【００４６】
レーザ出力ユニット５２の内部には、レーザ光源であるレーザダイオードおよびモータによって高速で定速回転するポリゴンミラーが設けられている。レーザ出力ユニット５２から照射されるレーザ光は、前記定速回転するポリゴンミラーによって偏向され、結像レンズ５３を通ってミラー５４で折り返され、感光体ドラム５６の外周面上に集光されて結像する。偏向されたレーザ光は、感光体ドラム５６が回転する方向と直交する所謂主走査方向に露光走査され、図示しない画像処理部から出力された画像信号のライン単位の記録を行う。そして、書込ユニット３６は、感光体ドラム５６の回転速度と記録密度に対応した所定の周期で主走査を繰り返すことによって感光体ドラム５６の外周面上に画像、すなわち静電潜像を形成する。
【００４７】
このように書込ユニット３６から出力されるレーザ光が、画像作像系の感光体ドラム５６に照射されるが、感光体ドラム５６の一端近傍のレーザ光の照射位置に主走査同期信号を発生する図示しないビームセンサが配されている。このビームセンサから出力される主走査同期信号に基づいて主走査方向の画像記録タイミングの制御、および後述する画像信号の入出力用の制御信号の生成が行われる。
【００４８】
レジストローラ５５は、転写紙送り出しユニット５０により転写紙収容部４９から送り出されてきた転写紙５１を転写部材５８と感光体ドラム５６との間に送り出す。感光体ドラム５６は、軸芯を中心として回転自在な円柱状又は円筒状に形成されている。感光体ドラム５６は、レーザ出力ユニット５２により形成され且つ担持する静電潜像にトナーが付着して現像し、こうして得られたトナー像を転写部材５８との間に位置付けられた転写紙５１に転写する。
【００４９】
現像装置５７は、トナーを感光体ドラム５６の外周面に付着させて、該感光体ドラム５６の外周面上の静電潜像を現像する。転写部材５８は、転写紙５１を感光体ドラム５６の外周面に押し付けて、感光体ドラム５６の外周面上のトナーを転写紙５１に転写するとともに、該転写紙５１を定着装置５９に向けて送り出す。定着装置５９は、感光体ドラム５６などに形成されたトナー像を転写紙５１に定着させ、転写紙５１を装置本体３２外に排出する。
【００５０】
前述した画像形成装置３１は、自動原稿送り装置３３が、原稿３９を画像読み取りユニット３０のコンタクトガラス４０上に自動的に給送し、読み取りが終了した原稿３９を自動的に排出する。画像形成装置３１は、画像読み取りユニット３０が、コンタクトガラス４０上にセットされた原稿３９に光を照射し、この原稿３９からの反射像を光電変換素子としての光学変換部材（図４における２４を参照。）によって読み取る。
【００５１】
画像形成装置３１は、書込ユニット３６が、画像読み取りユニット３０が光電変換した原稿３９からの搬送層の画像信号に基づいて、感光体ドラム５６上に画像を形成し、給紙ユニット３５から給紙された転写紙５１上に画像を転写して定着する。画像形成装置３１は、定着が完了した転写紙５１を装置本体３２外に排出する。
【００５２】
本発明の画像形成装置３１は、請求項６に記載の画像読み取りユニット３０を有している。このように、請求項６に記載の画像読み取りユニット３０を有していると、耐久性の向上した画像形成装置３１を提供することができる。
【図面の簡単な説明】
【００５３】
【図１】本発明の一実施の形態を示すレンズ鏡筒の断面図である。
【図２】本発明の一実施の形態を示すレンズユニットを示すレンズ鏡筒の斜視図である。
【図３】図２におけるＡ−Ａ線の拡大断面図である。
【図４】本発明の一実施の形態を示す画像読み取りユニットの斜視図である。
【図５】本発明の一実施の形態を示す画像形成装置の説明図である。
【符号の説明】
【００５４】
１  大径のレンズ
２  小径のレンズ
３  大径の筒部
４  スカート部
５  連結部
７  レンズ鏡筒
１１  中間保持部材
１２  第１の接着剤
１３  第２の接着剤
１４  ベース部材
２０  レンズユニット
３０  画像読み取りユニット
４０  画像形成装置
Ｐ  重心
【図１】
2007212650.tif 000003
【図２】
2007212650.tif 000004
【図３】
2007212650.tif 000005
【図４】
2007212650.tif 000006
【図５】
2007212650.tif 000007